(57)【特許請求の範囲】
【請求項１】
複数の端子収容室が形成されたハウジングと、
前記ハウジングの後端面を凹ませた形態であって前記端子収容室の後端に連通する収容凹部と、
前記端子収容室と対応する複数の電線挿通孔を有していて前記収容凹部内に収容された一括ゴム栓とを備えたコネクタにおいて、
前記一括ゴム栓には、その後端面から外周縁に達する排水路が形成され、
前記排水路は、前記電線挿通孔の孔縁部に連通しており、
前記一括ゴム栓には、隣り合う２つの前記電線挿通孔の孔縁部同士を連通させた形態であって、前記電線挿通孔を介して前記排水路に連通する連通路が形成されており、
前記収容凹部を構成する周壁部には、前記排水路を前記周壁部の外面側へ連通させる排出部が形成されていることを特徴とするコネクタ。
【請求項２】
前記一括ゴム栓は、前後対称な形状をなしており、
前記収容凹部の奥端面には、前記排水路に嵌合される突部が形成されていることを特徴とする請求項１記載のコネクタ。
【発明の詳細な説明】
【技術分野】
【０００１】
本発明は、コネクタに関するものである。
【背景技術】
【０００２】
特許文献１には、複数の端子収容室を有するハウジングと、ハウジングの後端面を凹ませた形態であって端子収容室の後端に連通する収容凹部と、端子収容室と対応する複数の電線挿通孔を有していて収容凹部内に収容された一括ゴム栓と、端子収容室内から電線挿通孔を貫通して一括ゴム栓の後方へ導出された電線とを備えた防水タイプのコネクタが開示されている。
【先行技術文献】
【特許文献】
【０００３】
【特許文献１】特開２０００−２９９１５６号公報
【発明の概要】
【発明が解決しようとする課題】
【０００４】
このコネクタは、一括ゴム栓の後端面が上向きとなる姿勢で使用された場合、一括ゴム栓の上に水が溜まることが懸念される。もし、一括ゴム栓の後面に水が溜まると、その溜まった水が、電線挿通孔と電線との隙間を通ってハウジング（端子収容室）内へ浸入することが懸念される。
本発明は上記のような事情に基づいて完成されたものであって、一括ゴム栓の後端面に水が溜まるのを防止することを目的とする。
【課題を解決するための手段】
【０００５】
上記の目的を達成するための手段として、請求項１の発明は、複数の端子収容室が形成されたハウジングと、前記ハウジングの後端面を凹ませた形態であって前記端子収容室の後端に連通する収容凹部と、前記端子収容室と対応する複数の電線挿通孔を有していて前記収容凹部内に収容された一括ゴム栓とを備えたコネクタにおいて、前記一括ゴム栓には、その後端面から外周縁に達する排水路が形成され、前記排水路は、前記電線挿通孔の孔縁部に連通しており、前記一括ゴム栓には、隣り合う２つの前記電線挿通孔の孔縁部同士を連通させた形態であって、前記電線挿通孔を介して前記排水路に連通する連通路が形成されており、前記収容凹部を構成する周壁部には、前記排水路を前記周壁部の外面側へ連通させる排出部が形成されているところに特徴を有する。
【０００９】
請求項２の発明は、請求項１に記載のものにおいて、前記一括ゴム栓は、前後対称な形状をなしており、前記収容凹部の奥端面には、前記排水路に嵌合される突部が形成されているところに特徴を有する。
【発明の効果】
【００１０】
＜請求項１の発明＞
一括ゴム栓の後端面上の水は、排水路を通って一括ゴム栓の外周縁から排出されるので、一括ゴム栓の後端面に水が溜まる虞はない。
【００１１】
また、排水路が電線挿通孔の孔縁部に連通しているので、電線挿通孔の後端部の水を確実に排出することができる。
【００１２】
また、電線挿通孔と一括ゴム栓の外周縁との間に別の電線挿通孔が存在する場合、この２つの電線挿通孔から別々に一括ゴム栓の外周縁に達する２本の排水路を延ばした場合に比べると、本発明は、この２つの電線挿通孔同士を連通路で連通することにより、一括ゴム栓の外周縁に近い側の電線挿通孔から延ばした排水路を、外周縁から遠い側の電線挿通孔用の排水路として兼用させることができる。
【００１３】
そして、排水路を通って一括ゴム栓の外周縁に到達した液体は、排出部を通って収容凹部の外部へ排出される。
【００１４】
＜請求項２の発明＞
一括ゴム栓を前後対称な形状としたので、収容凹部に取り付ける際に一括ゴム栓の前後の向きを考慮せずに済み、作業性が良い。また、一括ゴム栓を取り付けた状態では、排水路と突部との嵌合により一括ゴム栓の前面側の不正な変形や位置ずれが規制されるので、電線挿通孔の前面側の開口部を、端子収容室の後面側の開口部に対して正しい位置関係となるように整合させることができる。
【図面の簡単な説明】
【００１５】
【図１】実施形態１のコネクタの斜視図
【図２】ハウジングと一括ゴム栓とゴム栓ホルダを分離した状態をあらわす斜視図
【図３】背面図
【図４】図３のＡ−Ａ線断面図
【図５】図３のＢ−Ｂ線断面図
【図６】実施形態２のコネクタの斜視図
【図７】ハウジングと一括ゴム栓とゴム栓ホルダを分離した状態をあらわす斜視図
【図８】背面図
【図９】図８のＣ−Ｃ線断面図
【図１０】図８のＤ−Ｄ線断面図
【図１１】実施形態３のコネクタの斜視図
【図１２】ハウジングと一括ゴム栓とゴム栓ホルダを分離した状態をあらわす斜視図
【図１３】背面図
【図１４】図１３のＥ−Ｅ線断面図
【図１５】図１３のＦ−Ｆ線断面図
【発明を実施するための形態】
【００１６】
＜実施形態１＞
以下、本発明を具体化した実施形態１を図１〜図５を参照して説明する。本実施形態のコネクタＸは、合成樹脂製のブロック状をなすハウジング１０と、ハウジング１０の後端部に組み付けられる一括ゴム栓２０と、ハウジング１０の後端部に組み付けられるゴム栓ホルダ３０とを備えている。尚、以下の説明においては、ハウジング１０、一括ゴム栓２０及びゴム栓ホルダ３０の後端面が上向きとなった状態を基準として方向を定義する。また、ハウジング１０は、その後半領域のみを図示し、前半領域の図示は省略する。
【００１７】
ハウジング１０の後端部には、後方へ開放された形態の収容凹部１１が形成されている。収容凹部１１の開口形状は、奥行き方向に比べて幅方向の寸法が大きい略長方形をなしている。収容凹部１１の周壁部１２は、幅方向に沿った一対の長辺側壁部１２Ｌと、奥行き方向に沿った一対の短辺側壁部１２Ｓと、四半円弧状をなして両壁部１２Ｌ，１２Ｓの端部同士を滑らかに繋ぐ４つの弧状壁部１２Ｒとから構成されている。この周壁部１２の内周面はシール面として機能する。また、短辺側壁部１２Ｓの外面には、一対の係止突起１３が形成されている。
【００１８】
ハウジング１０の内部には、１６室の端子収容室１４が前後方向に貫通して形成されており、各端子収容室１４の後端は収容凹部１１の奥端面に開口している。１６室の端子収容室１４は、幅方向及び奥行き方向に沿って直線状に並ぶように整列配置されている。即ち、端子収容室１４は奥行き方向において２列に分かれ、各列においては８室の端子収容室１４が幅方向に一定ピッチで並んでいる。この端子収容室１４内には後方から周知形態の端子金具（図示省略）が挿入されるようになっている。
【００１９】
一括ゴム栓２０は、前後方向（厚さ方向）、幅方向及び奥行き方向において対称な形状であって、一括ゴム栓２０の前後両端面は略長方形をなしている一括ゴム栓２０の厚さ寸法（前後方向）の寸法は、収容凹部１１の前後方向の深さ寸法よりも小さい。一括ゴム栓２０は、ハウジング１０に対し後方から収容凹部１１内に嵌入（収容）されるようにして組み付けられている。組み付けられた状態では、一括ゴム栓２０の前端面が収容凹部１１の奥端面に当接し、一括ゴム栓２０の外周の外周側リップ部２１が、周壁部１２の内周面に対して弾性撓みした状態で液密状に密着している。一括ゴム栓２０には、前後方向に貫通する１６の円形をなす電線挿通孔２２が、ハウジング１０に組み付けたときに端子収容室１４と対応（整合）するように幅方向及び奥行き方向に整列して形成されている。電線挿通孔２２の内周には、最小内径が電線（図示省略）の外径よりも小さい内周側リップ部が形成されている。
【００２０】
ゴム栓ホルダ３０は、合成樹脂製であり、略長方形の板状をなして収容凹部１１の後端の開口部を全領域に亘って閉塞する本体部３１と、本体部３１の幅方向における両端部から前方へ突出する一対の弾性係止片３２とを有している。本体部３１の前端面における外周縁部は全周に亘って切欠されており、本体部３１のうち切欠されなかった領域は、収容凹部１１の後端部に嵌入する嵌入部３３となっている。本体部３１には、前後方向（厚さ方向）に貫通する１６の方形をなす貫通孔３４が、ハウジング１０に組み付けたときに電線挿通孔２２及び端子収容室１４と対応（整合）するように幅方向及び奥行き方向に整列して形成されている。
【００２１】
ゴム栓ホルダ３０は、ハウジング１０に対して後方から組み付けられ、弾性係止片３２と係止突起１３との係止により組付け状態に保持されている。ゴム栓ホルダ３０が組み付けられた状態では、嵌入部３３の前面が収容凹部１１内に取り付けられている一括ゴム栓２０の後端面に対して押圧することにより、一括ゴム栓２０がハウジング１０（収容凹部１１）に対して後方への離脱や位置ずれを規制された状態に保持される。
【００２２】
端子金具は、後方から貫通孔３４と電線挿通孔２２を順に通過して端子収容室１４内に挿入される。端子金具が端子収容室１４に挿入された状態では、端子金具の後端部に接続された電線が電線挿通孔２２に液密状に貫通され、貫通孔３４を通過してゴム栓ホルダ３０の後方へ導出される。電線は端子金具よりも細く、貫通孔３４は端子金具を貫通させる大きさを有しているので、貫通孔３４の内周と電線の外周との間には大きな隙間が空くことになる。そのため、この隙間を通って、コネクタＸの後方から水（他の液体も含む）が一括ゴム栓２０の後端面上に浸入する虞がある。以下、その対策として、一括ゴム栓２０の後端面上の水を排出する手段について説明する。
【００２３】
一括ゴム栓２０の後端面には、各電線挿通孔２２の孔縁部から一括ゴム栓２０の外周縁に達する合計２０本の排水路２３が形成されている。排水路２３は、一括ゴム栓２０の後端面上に開放された方形断面の溝状をなし、直線状に延びている。幅方向における両端部に位置する４つの電線挿通孔２２に関しては、電線挿通孔２２から幅方向に１本の排水路２３が延びているとともに、奥行き方向に１本の排水路２３が延びている。また、幅方向両端部以外の位置に配置された１２の電線挿通孔２２に関しては、各電線挿通孔２２から奥行き方向に１本の排水路２３が延びている。つまり、全ての電線挿通孔２２に排水路２３が連通している。
【００２４】
一括ゴム栓２０の後端面には、幅方向に隣り合う電線挿通孔２２の孔縁部同士を連通させる１４本の連通路２４が形成されている。連通路２４は、排水路２３と同じく、一括ゴム栓２０の後端面上に開放された方形断面の溝状をなし、直線状に延びている。同じく一括ゴム栓２０の後端面には、奥行き方向に隣り合う電線挿通孔２２の孔縁部同士を連通させる８本の連通路２４が形成されている。つまり、全ての電線挿通孔２２は連通路２４に連通しており、したがって、全ての排水路２３は電線挿通孔２２を介していずれかの連通路２４と連通している。連通路２４は、排水路２３と同じく、一括ゴム栓２０の後端面上に開放された方形断面の溝状をなし、直線状に延びている。
【００２５】
これらの排水路２３と連通路２４は、幅方向において、電線挿通孔２２を介して一直線状に並ぶように配置されているとともに、奥行き方向においても、電線挿通孔２２を介して一直線状に並ぶように配置されている。つまり、一括ゴム栓２０の後端面上においては、排水路２３と連通路２４とで構成されて一括ゴム栓２０の外周縁に開口するように幅方向に延びる２本の流路と、排水路２３と連通路２４とで構成されて一括ゴム栓２０の外周縁に開口するように奥行き方向に延びる８本の流路とが形成され、この幅方向に延びる２本の流路と奥行き方向に延びる８本の流路とが、電線挿通孔２２において直角に交差している。尚、一括ゴム栓２０は前後対称であるため、一括ゴム栓２０の前端面にも、後端面と同じ数、同じ配置の排水路２３と連通路２４が形成されている。
【００２６】
また、ハウジング１０の周壁部１２には、周壁部１２を貫通して収容凹部１１の内部と外部とを連通させる形態の排出部１５が形成されている。排出部１５は、方形に開口し、その開口領域は全周に亘って窓孔状に閉じた形態（即ち、周壁部１２の後端縁に開放されていない形態）となっている。排出部１５は、一括ゴム栓２０の外周縁における各排水路２３の開口端と対応するように合計２０箇所に設けられており、排水路２３及び連通路２４の長さ方向の延長線上に位置している。つまり、１つの排水路２３に対して１つの排出部１５が配置されている。また、前後方向（一括ゴム栓２０の厚さ方向）において、排出部１５の開口領域は、一括ゴム栓２０の外周面における排水路２３の開口領域の全体を含む領域に亘っている。即ち、前後方向において、排出部１５の開口縁における後縁は一括ゴム栓２０の後端面と同じ位置にあり、排出部１５の開口縁における前縁は、一括ゴム栓２０の外周面における排水路２３の開口領域よりも前方に位置している。
【００２７】
上記構成によれば、貫通孔３４から一括ゴム栓２０の後端面上に浸入した水は、排水路２３のみを通る経路、電線挿通孔２２と排水路２３を順に通る経路、連通路２４と電線挿通孔２２と排水路２３を順に通る経路、電線挿通孔２２と連通路２４と別の電線挿通孔２２と排水路２３を順に通る経路、複数の連通路２４と複数の電線挿通孔２２を交互に通って排水路２３を経る経路等、種々の経路を経て一括ゴム栓２０の外周縁（外周面）に到達し、その後、排出部１５を通って収容凹部１１（ハウジング１０）の外部へ排出される。
【００２８】
本実施形態のコネクタＸは、複数の端子収容室１４が形成されたハウジング１０と、ハウジング１０の後端面を凹ませた形態であって端子収容室１４の後端に連通する収容凹部１１と、端子収容室１４と対応する複数の電線挿通孔２２を有していて収容凹部１１内に収容された一括ゴム栓２０とを備えたものであって、一括ゴム栓２０に、その後端面から外周縁に達する排水路２３を形成しているので、一括ゴム栓２０の後端面上の水を、排水路２３を通して一括ゴム栓２０の外周縁から排出させることができる。したがって、一括ゴム栓２０の後端面に水が溜まる虞はない。
【００２９】
また、排水路２３は、電線挿通孔２２の孔縁部に連通しているので、電線挿通孔２２の後端部の水も確実に排出することができる。また、収容凹部１１を構成する周壁部１２には、排水路２３を周壁部１２の外面側へ連通させる排出部１５を形成したので、排水路２３を通って一括ゴム栓２０の外周縁に到達した液体は、排出部１５を通って収容凹部１１の外部へ確実に排出される。また、一括ゴム栓２０を前後対称な形状としたので、収容凹部１１に取り付ける際に一括ゴム栓２０の前後の向きを考慮せずに済み、作業性が良い。
【００３０】
また、本実施形態では、幅方向において電線挿通孔２２と一括ゴム栓２０の外周縁との間に別の電線挿通孔２２が存在するのであるが、この２つの電線挿通孔２２から別々に一括ゴム栓２０の外周縁に向けて排水経路を延ばした場合には、２本の排水経路が必要となる。この点に鑑み、本実施形態では、一括ゴム栓２０に、隣り合う２つの電線挿通孔２２の孔縁部同士を連通させた形態であって、電線挿通孔２２を介して排水路２３に連通する連通路２４を形成した。このように隣り合う２つの電線挿通孔２２同士を連通路２４で連通すれば、一括ゴム栓２０の外周縁に近い側の電線挿通孔２２から延ばした排水路２３を、外周縁から遠い側の電線挿通孔２２用の排水路２３として兼用させることができるので、排水経路の長さを短くすることができる。
【００３１】
＜実施形態２＞
次に、本発明を具体化した実施形態２を図６〜図１０を参照して説明する。本実施形態２のコネクタＹは、ハウジング４０の収容凹部４１とゴム栓ホルダ５０の形態を上記実施形態１とは異なる構成としたものである。その他の構成については上記実施形態１と同じであるため、同じ構成については、同一符号を付し、構造、作用及び効果の説明は省略する。
【００３２】
上記実施形態１の排出部１５は、その開口領域が全周に亘って窓孔状に閉じた形態（即ち、周壁部１２の後端縁には開放されていない形態）となっていたが、本実施形態２の排出部４５は、その開口領域のうち後端が周壁部４２の後端縁に開放された形態となっている。即ち、排出部４５は、周壁部４２の後端縁を方形に切欠した形態となっている。また、収容凹部４１の前後方向の深さ寸法は、実施形態１の収容凹部１１よりも小さくなっており、収容凹部４１内に組み付けた一括ゴム栓２０の後端面と、周壁部４２の後端面とが、前後方向において同じ位置にある。ゴム栓ホルダ５０は、実施形態１の嵌入部３３に相当する部位が本体部５１に形成されておらず、本体部５１の前面は全領域に亘って段差のない平坦面となっている。そして、この本体部５１の前面で一括ゴム栓２０の後端面を押圧している。
【００３３】
＜実施形態３＞
次に、本発明を具体化した実施形態３を図１１〜図１５を参照して説明する。本実施形態３のコネクタＺは、ハウジング６０とゴム栓ホルダ７０を上記実施形態１とは異なる構成としたものである。その他の構成については上記実施形態１と同じであるため、同じ構成については、同一符号を付し、構造、作用及び効果の説明は省略する。
【００３４】
上記実施形態１では、収容凹部１１の周壁部１２に排出部１５が形成されていたのに対し、本実施形態３では、排出部７３が、収容凹部６１の周壁部６２にではなく、ゴム栓ホルダ７０に形成されている。即ち、収容凹部６１の前後方向の深さ寸法は、実施形態１の収容凹部１１よりも小さくなっており、収容凹部６１内に組み付けた一括ゴム栓２０の後端面が、周壁部６２の後端面よりも後方に突出するように位置している。そして、ゴム栓ホルダ７０の本体部７１の前面には、その外周縁に沿って前方へリブ状（壁状）に突出する外嵌部７２が全周に亘って形成されている。そして、この外嵌部７２には、その前端縁部を方形に切り欠くことによって排出部７３が形成されている。
【００３５】
ゴム栓ホルダ７０をハウジング６０に組み付けた状態では、外嵌部７２の前端が周壁部６２の後端に突き当たるとともに、本体部７１の前面が一括ゴム栓２０の後端面を押圧する。また、外嵌部７２が、一括ゴム栓２０のうち周壁部６２の後端よりも後方へ突出した後端部を全周に亘って包囲する。そして、外嵌部７２に形成した排出部７３が一括ゴム栓２０の後端面の排水路２３と対応するように位置する。
【００３６】
また、本実施形態３では、一括ゴム栓２０が前後対称であって一括ゴム栓２０の前端面にも溝状の排水路２３と連通路２４が形成されていることに着目し、収容凹部６１の奥端面には、排水路２３及び連通路２４と対応する複数の突部６３が形成されている。一括ゴム栓２０を収容凹部６１内に組み付けた状態では、排水路２３と連通路２４が突部６３に嵌合することにより、一括ゴム栓２０の前端部は収容凹部６１に対して幅方向及び奥行き方向への相対変位や不正な弾性変形を規制される。これにより、電線挿通孔２２の前面側の開口部は、端子収容室１４の後端側の開口部に対して正しい位置関係を保った状態に位置決めされる。
【００３７】
＜他の実施形態＞
本発明は上記記述及び図面によって説明した実施形態に限定されるものではなく、例えば次のような実施形態も本発明の技術的範囲に含まれる。
（１）上記実施形態１〜３では、排水路の全領域が一括ゴム栓の後端面に開放された溝状としたが、排水路は、両端が一括ゴム栓の後端面と外周縁とに開口し、それ以外の領域が一括ゴム栓の内部を貫通する形態であってもよい。
（２）上記実施形態１〜３では、全ての排水路が電線挿通孔の孔縁部に連通する形態としたが、全ての排水路が電線挿通孔の孔縁部に連通しない形態でもよく、複数の排水路のうちいずれかの排水路のみが電線挿通孔の孔縁部に連通する形態であってもよい。
（３）上記実施形態１〜３では、排水路を直線状としたが、排水路は、曲線状の経路や屈曲した経路であってもよい。
（４）上記実施形態１〜３では、幅方向及び奥行き方向に隣り合う位置関係となっている２つの電線挿通孔の孔縁部同士を、全て、連通路で連通させたが、このような位置関係となっているもののうちいずれかの電線挿通孔同士は連通路で連通させない形態としてもよい。
（５）上記実施形態１〜３では、幅方向及び奥行き方向に隣り合う位置関係となっている２つの電線挿通孔同士を連通路で連通させたが、斜め方向に隣り合う２つの電線挿通孔同士を連通路で連通させてもよい。
（６）上記実施形態１〜３では、連通路を直線状としたが、連通路は、曲線状の経路や屈曲した形態であってもよい。
（７）上記実施形態１〜３では、連通路と排水路を一直線状に並ぶように配置したが、連通路と排水路を互いに斜めをなす位置関係となるように配置してもよい。
（８）上記実施形態１〜３では、１つの排水路に対して１つの排出部を設けたが、１つの排出部が複数の排水路と対応するようにしてもよい。
（９）上記実施形態１〜３では、複数の電線挿通孔を、幅方向及び奥行き方向において縦横に整列するように配置したが、複数の電線挿通孔は千鳥状に配置されていてもよい。
（１０）上記実施形態１〜３では、一括ゴム栓を前後対称な形状としたが、一括ゴム栓は前後非対称な形状であってもよい。この場合、実施形態１，２においては、一括ゴム栓の前面に排水路や連通路を形成しない形態としてもよく、実施形態３においては、排水路や連通路の位置を前後で異ならせればよい。
（１１）上記実施形態３の排水路と突部を嵌合させる構成は、実施形態１，２にも適用できる。
（１２）上記実施形態３の連通路と突部を嵌合させる構成は、実施形態１，２にも適用できる。
（１３）上記実施形態３のゴム栓ホルダに排出部を形成する構成は、実施形態２に適用することができる。この場合、ゴム栓ホルダの排出部と周壁部の排出部とを整合させて１つの排出部を構成することができる。
（１４）上記実施形態１〜３では、端子収容室と電線挿通孔の数を１６としたが、端子収容室と電線挿通孔の数は、１５以下でも、１７以上でもよい。
（１５）上記実施形態では、端子収容室と電線挿通孔を奥行き方向において２列に分けて配置したが、奥行き方向における列の数は、１列でも、３列以上でもよい。
（１６）上記実施形態１〜３では、端子収容室と電線挿通孔を幅方向に８つずつ並ぶようにしたが、端子収容室と電線挿通孔の幅方向の並び数は、７以下でも、９以上でもよい。
【符号の説明】
【００３８】
Ｘ…コネクタ
１０…ハウジング
１１…収容凹部
１２…周壁部
１４…端子収容室
１５…排出部
２０…一括ゴム栓
２２…電線挿通孔
２３…排水路
２４…連通路
Ｙ，Ｚ…コネクタ
４０，６０…ハウジング
４１，６１…収容凹部
４２，６２…周壁部
４５，７３…排出部
６３…突部
７２…外嵌部
【図１】
0005644563.tif 000002
【図２】
0005644563.tif 000003
【図３】
0005644563.tif 000004
【図４】
0005644563.tif 000005
【図５】
0005644563.tif 000006
【図６】
0005644563.tif 000007
【図７】
0005644563.tif 000008
【図８】
0005644563.tif 000009
【図９】
0005644563.tif 000010
【図１０】
0005644563.tif 000011
【図１１】
0005644563.tif 000012
【図１２】
0005644563.tif 000013
【図１３】
0005644563.tif 000014
【図１４】
0005644563.tif 000015
【図１５】
0005644563.tif 000016